(57)【特許請求の範囲】
【請求項１】
原稿載置部に載置された原稿をその表面を読み取る第一画像読取手段に搬送する原稿搬送機構を備えた本体ユニットと、前記第一画像読取手段により読み取られた原稿を排出する排出ユニットと、前記第一画像読取手段により読み取られた原稿を反転して前記第一画像読取手段に再搬送する反転ユニットと、前記第一画像読取手段により読み取られた原稿の裏面を読み取る第二画像読取手段を備えた裏面読取ユニットを備え、前記排出ユニットと前記反転ユニットと前記裏面読取ユニットの何れかを共通の取付機構を介して前記本体ユニットに着脱自在に取り付け可能に構成するとともに、前記排出ユニットと前記反転ユニットと前記裏面読取ユニットの何れのユニットが前記本体ユニットに取り付けられたかを識別する識別手段を備えている原稿搬送装置。
【請求項２】
前記識別手段により識別されたユニットに対応して原稿の読取モードが選択可能な操作部と、前記原稿載置部に載置された原稿を搬送制御する制御手段を備え、前記制御手段は前記操作部で選択された読取モードと前記識別手段により識別されたユニットに対応して原稿の搬送制御を切り替えるように構成されている請求項１記載の原稿搬送装置。
【請求項３】
請求項１または２記載の原稿搬送装置を備えて構成される画像形成装置。
【発明の詳細な説明】
【技術分野】
【０００１】
本発明は、原稿を搬送する原稿搬送装置及び画像形成装置に関する。
【背景技術】
【０００２】
一般に、スキャナ等の画像読取装置や、デジタル複写機等の画像形成装置に搭載される画像読取装置には、原稿の第一面と第二面に記録された画像を読み取る、いわゆる両面読取機能を備えたものがある。この種の画像読取装置は、原稿画像の読取位置に自動的に原稿を搬送する原稿搬送装置を備えたものが公知となっている。
【０００３】
例えば、原稿の両面（第１面及び第２面）に記録された画像を読み取る場合において、画像読取手段により原稿の第一面の画像が読み取られた後に、前記原稿を表裏反転させて、再び、前記画像読取手段に前記原稿を搬送し、前記画像読取手段に前記原稿の第二面の画像をも読み取らせる技術や、原稿の搬送経路を介して対向する側に第一の画像読取手段と第二の画像読取手段を配置し、搬送経路に沿って搬送される原稿の両面に記録された画像をそれぞれ前記第一の画像読取手段、及び、前記第二の画像読取手段で読み取らせる技術が提案されている。
【０００４】
ここで、前者は、同一の画像読取手段で原稿の両面に記録された画像を読み取るため、比較的安いコストで前記両面読取機能を実現することができるという利点があるものの、原稿が表裏反転されるとともに、二度に亘って原稿が前記画像読取手段に搬送されるため、画像の読み取りに多くの時間を費やす（スループットが悪い）という欠点がある。一方、後者は、原稿の搬送経路を介して対向する側に配置されたそれぞれの画像読取手段によって、原稿の両面に記録されたそれぞれの画像を読み取るため、原稿の搬送経路が短縮され、画像の読み取り時間も短くて済む（スループットが良い）という利点があるものの、画像読取手段が二つ必要となるため、コストが高くなるとうい欠点がある。
【０００５】
ところで、例えば、特許文献２に示すように、そのメンテナンス性を向上させるために、原稿が搬送される第１搬送路と、該第１搬送路を搬送する原稿の画像を読み取る読取手段と、を有する画像読取部と、画像形成用シートが搬送される第２搬送路と、該第２搬送路を搬送するシート上に画像を形成する画像形成手段と、を有する画像形成部と、を備えた画像形成装置において、前記画像読取部は、装置本体に対して移動可能に支持されると共に、該画像読取部を、画像読取動作を行う場合の位置とは異なる位置に移動させることで、前記読取手段を画像読取部本体から取り外し可能とする技術が提案されている。
【０００６】
また、例えば、特許文献３に示すように、原稿を光学的に走査する第１の読み取り手段と、原稿を自動的に給送する自動原稿搬送装置と、前記自動原稿搬送装置によって搬送される原稿の裏面を光学的に走査して読み取る第２の読み取り手段と、前記第２の読み取り手段の読み取り位置に対向する位置に設けられたローラと、前記ローラを着脱可能に支持する支持手段と、を有する画像読取装置において、前記自動原稿給送装置の枠体の下面に開口部を設け、前記支持手段から前記ローラを取り外すことにより、前記自動原稿搬送装置の下面から前記ローラを抜き差し可能とすることで、原稿の裏面を読み取るコンタクト・イメージ・センサ（ＣＩＳ）及びＣＩＳに対抗する位置に設けられたローラの清掃・交換を容易にする技術が提案されている。
【０００７】
【特許文献１】特開２００２−２７１５８７号公報
【特許文献２】特開２００２−２６１０３８号公報
【特許文献３】特開２００４−３３６２７０号公報
【発明の開示】
【発明が解決しようとする課題】
【０００８】
前記画像読取装置や前記画像形成装置に対して、上述のような前記両面読取機能を必要とするユーザがいる一方で、それを必要としないユーザもいる。しかし、当初それを必要としないユーザも、その必要性が生じたり、また或いは、当初は、スループットが悪いのを承知の上で、コストの安い両面読取機能を選択していたユーザが、その改善の必要性に迫られることもある。
【０００９】
しかし、従来の原稿搬送装置は、前記画像読取装置や前記画像形成装置に完全に組み込まれてしまっていたため、ハード面において前記両面読取機能のみに関する仕様変更が難しく、それを実現するためには、前記画像読取装置や前記画像形成装置等の本体そのものを交換する必要があり、ユーザにとってコスト的な負担が大きくなるという問題があった。
【００１０】
本発明は、上述の従来欠点に鑑み、コスト負担が小さく、簡易に両面読取機能に関する仕様変更が可能な原稿搬送装置及び画像形成装置を提供する点にある。
【課題を解決するための手段】
【００１１】
上述の目的を達成するため、本発明による原稿搬送装置の第一の特徴構成は、特許請求の範囲の書類の請求項１に記載した通り、原稿載置部に載置された原稿をその表面を読み取る第一画像読取手段に搬送する原稿搬送機構を備えた本体ユニットと、前記第一画像読取手段により読み取られた原稿を排出する排出ユニットと、前記第一画像読取手段により読み取られた原稿を反転して前記第一画像読取手段に再搬送する反転ユニットと、前記第一画像読取手段により読み取られた原稿の裏面を読み取る第二画像読取手段を備えた裏面読取ユニットを備え、前記排出ユニットと前記反転ユニットと前記裏面読取ユニットの何れかを共通の取付機構を介して前記本体ユニットに着脱自在に取り付け可能に構成するとともに、前記排出ユニットと前記反転ユニットと前記裏面読取ユニットの何れのユニットが前記本体ユニットに取り付けられたかを識別する識別手段を備えている点にある。
【００１２】
上述の構成とすることにより、本体ユニットに、排出ユニット、反転ユニット、または、裏面読取ユニットの何れかを選択して着脱することができるとともに、本体ユニットに装着された排出ユニット、反転ユニット、または、裏面読取ユニットを識別することができる。つまり、第一画像読取手段により読み取られた原稿を排出するのか、第一画像読取手段により読み取られた原稿を反転して第一画像読取手段に再搬送するのか、または、第一画像読取手段により読み取られた原稿の裏面を第二画像読取手段により読み取るのかといった、原稿の両面読取機能に関する仕様変更を簡易に実施することができる。また、本体ユニットに、排出ユニット、反転ユニット、または、裏面読取ユニットの何れかを選択して装着するだけなので、仕様変更にかかるコスト負担を小さくすることができる。
【００１３】
同第二の特徴構成は、同請求項２に記載した通り、上述した第一の特徴構成に加えて、前記識別手段により識別されたユニットに対応して原稿の読取モードが選択可能な操作部と、前記原稿載置部に載置された原稿を搬送制御する制御手段を備え、前記制御手段は前記操作部で選択された読取モードと前記識別手段により識別されたユニットに対応して原稿の搬送制御を切り替えるように構成されている点にある。
【００１４】
上述の構成とすることにより、選択された読取モードと識別されたユニットとに対応した搬送経路で原稿を搬送することができる。
【００１５】
本発明による画像形成装置は、上述の第一または第二特徴構成に記載された原稿搬送装置を備えて構成される点にある。
【発明の効果】
【００１６】
以上説明した通り、本発明によれば、コスト負担が小さく、簡易に両面読取機能に関する仕様変更が可能な原稿搬送装置及び画像形成装置を提供することができるようになった。
【発明を実施するための最良の形態】
【００１７】
以下、本発明による原稿搬送装置を画像形成装置としてのデジタル複写機に適用した実施の形態について説明する。前記デジタル複写機１は、図２に示すように、原稿画像を原稿画像データとして読み取る画像読取部２と、前記画像読取部２に原稿を搬送する原稿搬送装置としての原稿搬送部Ｄと、前記前記画像読取部２で読み取られた画像データに基づいて出力用紙である記録紙１０上に画像を形成して出力する画像形成部３と、当該デジタル複写機１の各種ジョブの動作モードを設定するモード設定キーや設定されたジョブを起動するプリントスイッチなどが配置され、前記モード設定キーによる設定情報などが表示されるタッチパネル式の液晶表示部等からなる操作部４と、前記画像読取部２や、前記画像形成部３、前記操作部４等の各機能ブロックを統括制御するシステム制御部５を備えて構成されている。
【００１８】
前記画像読取部２は、図１に示すように、原稿ガラス２ａ上に載置された原稿の画像を読み取るミラースキャン方式の走査光学系（縮小光学系）２ｂと第一画像読取手段としてのラインＣＣＤ１７を備えて構成され、前記原稿搬送部Ｄから原稿が自動搬送されるときには、前記走査光学系２ｂを所定の画像読取位置に固定して、前記原稿搬送部Ｄにより所定速度で搬送される前記原稿１３の表面画像を読み取るように構成されている。
【００１９】
前記原稿搬送部Ｄは、図１に示すように、原稿１３が載置される原稿載置部１２としての原稿トレイ１２と、前記原稿トレイ１２に載置された原稿１３を給紙する原稿給紙部（図示せず）と、前記原稿１３を前記第一画像読取手段による画像読取位置まで搬送する大径の搬送ローラ１５と、前記大径の搬送ローラ１５の周囲に配置された前記原稿１３の搬送を補助するための小径の搬送ローラ１６と、詳細は後述するオプションユニット９１を装着するオプションユニット装着部８０と、前記オプションユニット９１から排出される原稿１３を載置する原稿排紙トレイ２０を備えて構成されている。
【００２０】
ここで、前記原稿給紙部と、前記大径の搬送ローラ１５と、前記小径の搬送ローラ１６とが、前記原稿載置部１２に載置された原稿１３をその表面を読み取る第一画像読取手段１７に搬送する原稿搬送機構８１を構成している。また、原稿載置部１２としての前記原稿トレイ１２と、前記原稿搬送機構８１と、前記原稿排紙トレイ２０が本体ユニット８２を構成している。更に、前記本体ユニット８２と前記オプションユニット９１が本発明の原稿搬送装置の主要部を構成している。
【００２１】
図２に戻り、前記画像形成部３は、前記出力画像データに基づいて感光体６０にトナー画像を形成するトナー画像形成部６と、前記形成されたトナー画像が転写される記録紙１０を搬送する搬送部７と、前記転写された記録紙１０上のトナー像を内部に挿入設置された加熱ヒータ（不図示）と温度センサ（付図示）により所定温度に加熱された定着ローラ８ａにより加熱溶融して定着する定着部８とを備えて構成されている。
【００２２】
前記トナー画像形成部６は、前記感光体６０と、前記感光体６０の周囲に順に配置され、表面を均一にコロナ帯電する帯電チャージャー６１と、帯電された前記感光体６０を露光して静電潜像を形成するプリントヘッド６２と、前記形成された静電潜像にトナーを静電付着させてトナー像を顕像化する現像部６３と、前記トナー像を記録紙１０に転写する転写部と、転写後に前記感光体６０に残存するトナーを除去するクリーニング部６４と、前記感光体６０表面の残留電位を落して均一にする除電ランプ６５とを備えて構成されている。尚、前記現像部６３には、カラー画像を生成可能とするため、シアン、マゼンダ、イエロー、ブラックの４色の現像ブロックが配置されている。
【００２３】
前記搬送部７は、夫々サイズの異なる記録紙１０が収容された一般給紙カセット１１ａ或いは任意に異なるサイズの記録紙１０が設置される手差しカセット１１ｂから前記記録紙１０を１枚ずつ搬送する給紙搬送部７ａと、前記給紙された記録紙１０を前記転写部に搬送し、トナー像が転写された前記記録紙１０を前記定着部８に向けて搬送する転写搬送部７ｂと、前記定着部８を通過した前記記録紙１０をフェースアップで排紙トレイ９に排紙する第一排紙部７ｃと、フェイスダウン方式で排出する第二排紙部７ｄと、両面プリント用の再搬送部７ｅを備えて構成され、夫々には搬送用のローラが設けられている。
【００２４】
前記操作部４は、前記画像読取部１の手前側に配置され、例えば、図７に示すように、左側に画像表示部としてのタッチパネル式のカラー液晶表示部２６を備え、また右側に種々の操作入力キー群２４を備えている。前記操作入力キー群２４は、例えば、コピー枚数などを設定する数値入力キー２１、スタートキー２２、クリア／ストップキー２３、カーソルキー２９、リセットキー１９等の複写動作の基本制御キー群と、特殊モード設定キー２５等により構成されている。
【００２５】
前記システム制御部５は、図３に示すように、前記画像読取手段２による原稿の読取動作を制御する画像読取制御部５Ａと、前記画像読取手段２により読み取られた原稿画像データに所定の処理を施して出力画像データを生成する出力画像データ生成部５Ｂと、前記画像形成手段３を制御する画像形成制御部５Ｃと、前記操作部４の入出力信号を制御する操作制御部５Ｄと、上述の各制御ブロック、つまり、前記画像読取制御部５Ａと前記出力画像データ生成部５Ｂと前記画像形成制御部５Ｃと前記操作制御部５Ｄとのタイミングを制御して複写動作などの実行を管理する統括制御部５Ｅを備えて構成され、前記各制御ブロックには、夫々ＣＰＵ及びＣＰＵによる動作プログラムが格納されたＲＯＭなどが設けられている。
【００２６】
前記画像読取制御部５Ａは、前記原稿搬送機構８１及び詳細は後述のオプション搬送機構９２を駆動して前記原稿トレイ１２に載置された原稿１３を前記オプションユニットに応じた後に詳述する読取モードで給紙するとともに、前記ＣＣＤリニアセンサ１７により読み取られた画像或いは後述の密着型ＣＣＤリニアセンサ９０により読み取られた画像に対応するアナログ信号をＡ／Ｄ変換手段１０３によりデジタルデータに変換し、また、所定の変換テーブルが設けられた入力画像処理手段１０４により前記変換したデジタルデータに対してシェーディング補正処理やγ補正処理を実施することで原稿画像データを生成するように構成されている。
【００２７】
前記出力画像データ生成部５Ｂは、前記入力画像処理手段１０４から出力される前記原稿画像データに対して空間フィルタ処理、中間調処理、拡縮処理等の画像データ変換処理を行なう画像処理部３１と、前記画像処理部３１からの出力画像データを前記プリントヘッド６２に対する駆動信号に変換するデータ変換手段３２とを備えて構成され、前記変換された駆動信号が前記プリントヘッド６２の駆動回路に出力されるように構成されている。
【００２８】
上述のデジタル複写機１では、前記原稿トレイ１２に原稿を載置し、前記操作部４に複写枚数、出力用紙サイズ、複写倍率、前記読取モードなど、モード設定キーを適切に設定操作した後にプリントスイッチを押圧操作することにより複写動作が開始される。
【００２９】
即ち、前記システム制御部５は、前記画像読取制御部５Ａに原稿画像の読取りコマンドを出力して、前記出力画像データ生成部５Ｂへ読取られた画像データに基づいた出力画像の生成コマンドを出力し、前記画像出力制御部５Ｃに画像出力コマンドを出力する。そして、前記画像出力制御部５Ｃは、前記搬送部７を駆動して前記一般給紙カセット１１ａ或いは前記手差しカセット１１ｂから記録紙１０を搬送させた後に、所定のタイミングで前記画像出力制御部５Ｃに画像データ出力コマンドを出力して前記プリントヘッド６２を駆動する。また、前記プリントヘッド６２により露光された前記像担持体６０にトナー画像が形成されると、前記トナー像を前記記録紙１０に転写するとともに、前記記録紙１０上に転写された画像を前記定着部８で定着処理して、当該デジタル複写機１外に排出する。
【００３０】
以下、前記オプションユニット装着部８０に装着されるオプションユニット９１について説明する。
【００３１】
前記デジタル複写機１には、前記オプションユニット９１として、前記第一画像読取手段１７により読み取られた原稿１３を前記原稿排紙トレイ２０に排出する排出ユニット９１ａと、前記第一画像読取手段１７により読み取られた原稿を反転して前記第一画像読取手段１７による画像読取位置に再搬送する反転ユニット９１ｂと、前記第一画像読取手段１７により読み取られた原稿の裏面を読み取る第二画像読取手段９０を備えた裏面読取ユニット９１ｃが準備されている。
【００３２】
そして、前記各オプションユニット９１は、それぞれ、共通の取付機構を介して前記本体ユニット８２の前記オプションユニット装着部８０に着脱自在に取り付け可能に構成されている。
【００３３】
前記取付機構は、例えば、前記デジタル複写機１と前記各オプションユニット９１とを物理的に結合させるネジ止め等の公知の技術や、当該デジタル複写機１によって前記各オプションユニット９１を電気的に接続するコネクタ等から構成されている。
【００３４】
ここで、前記各オプションユニット９１には、前記画像読取制御部５Ａが当該オプションユニット９１の制御を実行するための動作プログラム或いは動作データが格納されたメモリが備えられるとともに、前記画像読取制御部５Ａには、前記オプションユニット９１の何れが前記本体ユニット８２に取り付けられたかを識別する識別手段９３が備えられている。
【００３５】
そして、前記取付機構によって前記オプションユニット９１が前記オプションユニット装着部８０に装着されると、前記識別手段９３が前記メモリにアクセスして、前記動作プログラム或いは前記動作データを読み出すとともに、前記本体ユニット８２に取り付けられた前記オプションユニット９１を識別し、前記画像読取制御部５Ａが、前記読み出された動作プログラム或いは動作データに基づいて前記装着されたオプションユニット９１を制御するように構成されている。
【００３６】
前記オプションユニット９１としての前記排出ユニット９１ａは、当該デジタル複写機１において、前記原稿の表面の画像と裏面の画像とを読み取るといった両面読取機能を必要とせず、前記原稿の表面の画像のみを読み取ればよいときに、前記オプションユニット装着部８０に装着されるもので、図４に示すように、前記第一画像読取手段１７により表面画像が読み取られ、前記原稿搬送機構８１の後端部８１ｂから排出された原稿１３を搬送排出する排出ローラ８４ａを備えて構成されている。
【００３７】
そして、前記排出ローラ８４ａが、当該排出ユニット９１ａにおける前記オプション搬送機構９２を構成している。
【００３８】
つまり、前記排出ユニット９１ａは、前記後端部８１ｂから前記第一画像読取手段１７により表面画像が読み取られた原稿１３が排出されると、前記画像読取制御部５Ａにより、前記第一画像読取手段１７により読み取られた原稿１３を前記排出ローラ８４ａがその回転により受け取るように、そして、それをそのまま前記原稿排紙トレイ２０に排出するように制御される。
【００３９】
尚、前記排出ユニット９１ａが前記オプションユニット装着部８０に装着されたときには、前記両面読取機能を有しないため、前記読取モードは、前記原稿の表面の画像のみを読み取るといった片面読取機能としての片面読取モードが自動で設定され、上述したように前記画像読取制御部５Ａにより制御される。
【００４０】
前記オプションユニット９１としての前記反転ユニット９１ｂは、当該デジタル複写機１において、比較的安いコストで前記両面読取機能を実現させたいときに、前記オプションユニット装着部８０に装着されるもので、図５（ａ）、図５（ｂ）、図５（ｃ）に示すように、前記第一画像読取手段１７により表面画像が読み取られ、前記後端部８１ｂから排出された原稿１３を受け取るとともに反転させて、前記原稿搬送機構８１の前端部８１ａに送出する反転ローラ８５と、前記反転ローラ８５が搬送する原稿を支持する中間トレイ８６と、前記第一画像読取手段１７により裏面画像が読み取られ、前記後端部８１ｂから排出された原稿１３を搬送排出する排出ローラ８４ｂと、前記第一画像読取手段１７により表面画像が読み取られた原稿１３を前記反転ローラ８５に導くとともに前記第一画像読取手段１７により裏面画像が読み取られた原稿１３を前記排出ローラ８４ｂに導く第一分岐爪８７と、前記反転ローラ８５により反転された原稿１３を前記前端部８１ａに導く第二分岐爪８８を備えて構成されている。
【００４１】
そして、前記反転ローラ８５と、前記中間トレイ８６と、前記排出ローラ８４ｂと、前記第一分岐爪８７と、前記第二分岐爪８８とが、当該反転ユニット９１ｂにおける前記オプション搬送機構９２を構成している。
【００４２】
前記画像読取制御部５Ａによる当該反転ユニット９１ｂにおける前記オプション搬送機構９２の制御について詳述する。
【００４３】
前記反転ユニット９１ｂが前記オプションユニット装着部８０に装着されることに対応して、前記操作部４を介してユーザにより、前記両面読取機能を実施するための両面読取モードが選択されているときには、前記反転ユニット９１ｂは、前記後端部８１ｂから前記第一画像読取手段１７により表面画像が読み取られた原稿１３が排出されると、前記図５（ａ）に示すように、前記第一分岐爪８７が第一の姿勢となることにより、前記原稿１３を前記反転ローラ８５に導くとともに、前記反転ローラ８５がその回転により前記原稿１３を受け取り、その先端が前記中間トレイに沿って所定の位置に来るまで搬送する。つまり、例えば、前記所定の位置における原稿の有無を検出する赤外線センサ９５により前記原稿１３が検出されるまで前記原稿１３を搬送する。
【００４４】
尚、このとき、前記第二分岐爪８８は、前記原稿１３が前記後端部８１ｂから前記反転ローラ８５に搬送される搬送経路を開放する第三の姿勢となるように制御されている。
【００４５】
前記原稿１３の先端が前記所定の位置まで搬送されると、前記図５（ｂ）に示すように、前記反転ローラ８５を逆転させることで、前記原稿１３を逆方向に搬送するとともに、前記第二分岐爪８８が第四の姿勢となることにより前記原稿１３を前記前端部８１ａに導く。
【００４６】
前記前端部８１ａに導かれた原稿１３が前記第一画像読取手段１７により裏面画像が読み取られ、再び、前記後端部８１ｂから排出されると、前記図５（ｃ）に示すように、前記第一分岐爪８７が第二の姿勢となることにより、前記原稿１３を前記排出ローラ８４ｂに導くとともに、前記排出ローラ８４ｂがその回転により前記原稿１３を受け取り、それをそのまま前記原稿排紙トレイ２０に排出する。
【００４７】
一方、前記操作部４を介してユーザにより、前記片面読取機能を実施するための片面読取モードが選択されているときには、前記反転ユニット９１ｂは、前記後端部８１ｂから前記第一画像読取手段１７により表面画像が読み取られた原稿１３が排出されると、前記図５（ｃ）に示すように、前記第一分岐爪８７が前記第二の姿勢となることにより、前記原稿１３を前記排出ローラ８４ｂに導くとともに、前記排出ローラ８４ｂがその回転により前記原稿１３を受け取り、それをそのまま前記原稿排紙トレイ２０に排出する。
【００４８】
前記オプションユニット９１としての前記裏面読取ユニット９１ｃは、当該デジタル複写機１において、スループットに優れた前記両面読取機能を実現させたいときに、前記オプションユニット装着部８０に装着されるもので、図６に示すように、前記第一画像読取手段１７により表面画像が読み取られ、前記後端部８１ｂから排出された原稿１３を受け取り搬送する受入ローラ８９と、前記受入ローラ８９によって受け取られた原稿１３の裏面画像を読み取る第二画像読取手段９０としての密着型ラインＣＣＤ９０と、前記第二画像読取手段９０により裏面画像が読み取られた原稿１３を前記排出トレイ２０に排出する排出ローラ８４ｃを備えて構成されている。
【００４９】
そして、前記受入ローラ８９と、前記排出ローラ８４ｃとが、当該裏面読取ユニット９１ｃにおける前記オプション搬送機構９２を構成している。
【００５０】
前記反転ユニット９１ｃが前記オプションユニット装着部８０に装着されることに対応して、前記操作部４を介してユーザにより、前記両面読取機能を実施するための両面読取モードが選択されているときには、前記裏面読取ユニット９１ｃは、前記後端部８１ｂから前記第一画像読取手段１７により表面画像が読み取られた原稿１３が排出されると、前記受入ローラ８９が前記後端部８１ｂから排出された原稿１３をその回転によって受け取るとともに、前記原稿１３の搬送経路を介して前記第一画像読取手段１７と対向する側に配置された前記第二画像読取手段９０により前記原稿１３の裏面画像を読み取り、前記排出ローラ８４ｃがその回転により前記原稿１３を前記排出トレイ２０に排出する。
【００５１】
一方、前記片面読取機能を実施するための片面読取モードが選択されているときには、前記裏面読取ユニット９１ｃは、前記後端部８１ｂから前記第一画像読取手段１７により表面画像が読み取られた原稿１３が排出されると、前記受入ローラ８９が前記後端部８１ｂから排出された原稿１３をその回転によって受け取るとともに、前記排出ローラ８４ｃがその回転により前記原稿１３を前記排出トレイ２０に排出する。つまり、前記第二画像読取手段９０による前記原稿１３の裏面画像の読み取りは実施されない。
【００５２】
つまり、前記デジタル複写機１は、排出ユニット、反転ユニット、または、裏面読取ユニットの何れかを選択して装着することにより、第一画像読取手段により読み取られた原稿を排出するのか、第一画像読取手段により読み取られた原稿を反転して第一画像読取手段に再搬送するのか、または、第一画像読取手段により読み取られた原稿の裏面を第二画像読取手段により読み取るのかといった、原稿の両面読取機能に関する仕様変更を簡易に実施することができる。また、本体ユニットに、排出ユニット、反転ユニット、または、裏面読取ユニットの何れかを選択して装着するだけなので、仕様変更にかかるコスト負担を小さくすることができる。
【００５３】
そして、前記デジタル複写機１は、前記操作部で選択された読取モードと前記識別手段により識別されたユニットに対応して原稿の搬送制御を切り替える。
【００５４】
上述した実施形態において、前記第一画像読取手段１７が縮小光学系を備える画像読取部２に配置されたラインＣＣＤで構成されるものを説明したが、第一画像読取手段１７が第二画像読取手段９０と同様の密着型ＣＣＤリニアセンサで構成され、前記原稿搬送部Ｄに組み込まれるものであってもよい。
【００５５】
尚、上述した実施形態は、本発明の一例に過ぎず、本発明の作用効果を奏する範囲において各ブロックの具体的構成等を適宜変更設計できることは言うまでもない。
【図面の簡単な説明】
【００５６】
【図１】画像読取部及び原稿搬送装置の説明図
【図２】デジタル複写機の説明図
【図３】制御部のブロック構成の説明図
【図４】排出ユニットの説明図
【図５】反転ユニットの説明図であり、（ａ）は反転ローラによる原稿の受け取り状態、（ｂ）は反転ローラによる原稿の送り出し状態、（ｃ）排出ローラによる原稿の搬送状態
【図６】裏面読取ユニットの説明図
【図７】操作部の説明図
【符号の説明】
【００５７】
１：デジタル複写機
２：画像読取部
３：画像形成部
４：操作部
５：システム制御部
１７：第一画像読取手段
８０：オプションユニット装着部
８１：原稿搬送機構
８２：本体ユニット
９０：第二画像読取手段
９１：オプションユニット
【図１】
0004614891.tif 000002
【図２】
0004614891.tif 000003
【図３】
0004614891.tif 000004
【図４】
0004614891.tif 000005
【図５】
0004614891.tif 000006
【図６】
0004614891.tif 000007
【図７】
0004614891.tif 000008